(57)【要約】【課題】簡単、かつ低コストで製造することができ、多機能を有する扇風機のフィルタを提供する。【解決手段】回転ファン２に覆設した保護ガード４の背面４ａに不織布またはポリオレフィン類による多孔質から成るフィルタ８を脱着部材により着脱可能に備え、フィルタ８に、抗菌成分または芳香成分などを添着する。さらにフィルタ８の内周面に、複数の同心円８ｃをミシン目状に備える。【選択図】図５
2008063948.tif 000002
【特許請求の範囲】
【請求項１】
回転ファンに覆設した保護ガードに装着させる扇風機のフィルタにおいて、
前記保護ガードの背面に前記フィルタを着脱自在に設けることを特徴とする扇風機のフィルタ。
【請求項２】
前記フィルタは、不織布またはポリオレフィン類による多孔質から成ることを特徴とする、請求項１に記載の扇風機のフィルタ。
【請求項３】
前記フィルタに、抗菌成分を添着することを特徴とする、請求項１に記載の扇風機のフィルタ。
【請求項４】
前記フィルタに、芳香成分を添着することを特徴とする、請求項１に記載の扇風機のフィルタ。
【請求項５】
前記フィルタは、前記保護ガードに脱着部材により着脱可能に備えることを特徴とする、請求項１に記載の扇風機のフィルタ。
【請求項６】
前記フィルタの内周面に、複数の同心円をミシン目状に備えることを特徴とする、請求項１に記載の扇風機のフィルタ。
【発明の詳細な説明】
【技術分野】
【０００１】
本発明は、回転ファンに覆設した保護ガードに装着させる扇風機のフィルタに関し、より詳細には、保護ガードの背面にフィルタを着脱自在に設けることに関する。
【背景技術】
【０００２】
従来の扇風機には、軸流ファンと、この軸流ファンを囲むガードとから構成され、フィルタを軸流ファンの風下側の略中央部分に設けることで、送風機能が低下することなく、空気の浄化機能を発揮することができるとともに、涼感を損なうことのない扇風機が得られる（特許文献１）というものや、扇風機の保護ガードの後側で扇風機に風が入ってくる部分にフィルタを取り付けることにより、埃やごみを吸収し、そのフィルタを外すことによって汚れを簡単に除去できる扇風機が得られる（特許文献２）というものがある。
【０００３】
【特許文献１】特開２００５−２０１１９２号公報
【特許文献２】特開平１１−１５９４９９号公報
【発明の開示】
【発明が解決しようとする課題】
【０００４】
しかし、このような特許文献１に記載の扇風機では、フィルタをガード前面に設けているため、軸流ファンにより扇風機前方方向に送風する空気が吸引される、ガード背面であって、軸流ファンの裏側部やガード隙間などに埃やごみが付着堆積し、扇風機前面方向に送風される空気に、これら埃やごみが混入して室内に拡散させるので環境の悪化になり、それを防止するために頻繁にガードを取り外して清掃する手間を要するという問題があった。そこで、特許文献２に記載の扇風機の保護ガードの後側にフィルタを取り付けた扇風機もあるが、この場合、フィルタの材質など具体的な構成が不明であるほか、フィルタを保護ガードの直径に合わせて装着できるようにフィルタの外縁に平ゴムを縫製しているので、製造工程が複雑で、コストアップになるという問題があった。
そこでこの発明の目的は、簡単、かつ低コストで製造することができ、多機能を有する扇風機のフィルタを提供することにある。
【課題を解決するための手段】
【０００５】
このため請求項１に記載の発明は、回転ファンに覆設した保護ガードに装着させる扇風機のフィルタにおいて、前記保護ガードの背面に前記フィルタを着脱自在に設けることを特徴とする。
【０００６】
請求項２に記載の発明は、請求項１に記載の扇風機のフィルタにおいて、前記フィルタは、不織布またはポリオレフィン類による多孔質から成ることを特徴とする。
【０００７】
請求項３に記載の発明は、請求項１に記載の扇風機のフィルタにおいて、前記フィルタに、抗菌成分を添着することを特徴とする。
【０００８】
請求項４に記載の発明は、請求項１に記載の扇風機のフィルタにおいて、前記フィルタに、芳香成分を添着することを特徴とする。
【０００９】
請求項５に記載の発明は、請求項１に記載の扇風機のフィルタにおいて、前記フィルタは、前記保護ガードに脱着部材により着脱可能に備えることを特徴とする。
【００１０】
請求項６に記載の発明は、請求項１に記載の扇風機のフィルタにおいて、前記フィルタの内周面に、複数の同心円をミシン目状に備えることを特徴とする。
【発明の効果】
【００１１】
請求項１に記載の発明によれば、回転ファンに覆設した保護ガードに装着させる扇風機のフィルタにおいて、保護ガードの背面にフィルタを着脱自在に設けるので、回転ファンによりこの回転ファンの前方方向に送風する空気が吸引される保護ガード背面で、フィルタによって空気中の埃やごみを吸着させ、回転ファンの裏側部や保護ガード隙間などに、埃やごみの付着堆積を防ぎ、扇風機前方方向に送風される空気にこれら埃やごみが混入されず室内を清潔に保つことができるとともに、頻繁に保護ガードを取り外して清掃する手間が省ける。従って、室内の空気を浄化するとともに作業性を向上させた扇風機のフィルタを提供することができる。
【００１２】
請求項２に記載の発明によれば、フィルタは、不織布またはポリオレフィン類による多孔質から成るので、通気性がよく送風機能を損なわないとともに、空気中の埃やごみを確実に付着させることができる。従って、送風機能を維持し、かつ室内の空気を浄化させる扇風機のフィルタを提供することができる。
【００１３】
請求項３に記載の発明によれば、フィルタに、抗菌成分を添着するので、フィルタに付着させた空気中の埃やごみに含まれる有害成分の活性を抑えることができる。従って、優れた空気浄化作用を有する扇風機のフィルタを提供することができる。
【００１４】
請求項４に記載の発明によれば、フィルタに芳香成分を添着するので、フィルタを介して扇風機前方方向に送風された空気から芳香成分が拡散し、室内を消臭するとともに、香りよくすることができる。従って、室内の空気を浄化し、かつ消臭するとともに、芳香性を与える扇風機のフィルタを提供することができる。
【００１５】
請求項５に記載の発明によれば、フィルタは、保護ガードに脱着部材により着脱可能に備えるので、空気中の埃やごみを付着させ汚れたフィルタを容易に取り替えることができる。従って、簡単、かつ迅速に交換可能な扇風機のフィルタを提供することができる。
【００１６】
請求項６に記載の発明によれば、フィルタの内周面に、複数の同心円をミシン目状に備えるので、はさみなどを必要とせず扇風機の保護ガードの直径に合わせて容易にフィルタの外縁部を手でミシン目に沿って切り取り、フィルタを保護ガードに装着することができる。従って、簡単、かつ迅速にサイズ調整を可能とする扇風機のフィルタを提供することができる。
【発明を実施するための最良の形態】
【００１７】
以下、図面を参照しつつ、この発明を実施するための最良の形態について詳述する。
図１は、本発明のフィルタを装着させる扇風機の一例を示す正面図、図２は同扇風機の側面図、図３は本発明の扇風機のフィルタの一例を示す正面図、図４は同フィルタを拡大した側面断面模式図、図５は同フィルタを装着させた扇風機の平面図、図６は同フィルタを装着させた扇風機を後方から見た斜視図を示す。
【００１８】
この例のフィルタ８を装着する扇風機１は、図１〜２に示すように、上部に設けられた軸流式の回転ファン２を駆動させる駆動モータ３が、回転ファン２の背面であって、この回転ファン２に連設され、さらに回転ファン２には、例えば格子状の柵を有する保護ガード４が覆設される。そして、駆動モータ３下部に連設された、駆動モータ３などを支持するスタンド５の底部には、扇風機１全体を設置面上で支えるとともに、回転ファン２の図示しないオン・オフスイッチや回転速度（風速）、向き（首振り）などを操作制御する操作部６を備えた底盤７がスタンド５に連設される。
【００１９】
そして、扇風機１における保護ガード４の背面４ａに装着されるフィルタ８は、図３に示すように、通常サイズの扇風機１における保護ガード４の直径（例えば４０ｃｍ程度）に略等しいサイズを有するもので、フィルタ８の形状に限定はないが、保護ガード４の形状に合わせた円形であることが好ましい。さらに、フィルタ８の中央部には、駆動モータ３を貫通させるとともに、駆動モータ３を覆うようにして装着させるための切込部９が設けられる。この切込部９は、円形であるフィルタ８の中心点から駆動モータ３が貫通可能なサイズになるように例えば略十字や略Ｘ字のような切込線が加えられ、この切込線の一つを中心点からフィルタ８の外縁に達するように設けられる。
【００２０】
フィルタ８は、塵埃類を吸着濾過するための、例えば、ポリエチレンテレフタレートやポリエステル、ウレタン、セルロース、ナイロンあるいはエレクトレット化処理したポリオレフィン類などの不織布層やスポンジ状の多孔質層のみで構成されるものや、これらを外層８ａとし、該外層８ａと、内層８ｂとから形成され、内層８ｂには、抗菌性の作用を有する素材として、銀，銅などの金属イオンを溶出する無機化合物や、銀，銅などの金属微粒子、フェノール類，過酸化水素などの薬剤や、リゾチームなどの酵素製剤、カテキン類などの天然成分抽出物などの抗菌成分があり、これらの素材から選択したものが外層８ａを構成する材質に添着される図４のような構成であってもよい。
【００２１】
また、フィルタ８の保護ガード４側装着面上であって、フィルタ８の外縁部近傍および切込部９の各切込線両側部には、例えばポリウレタンの両面にアクリル型粘着剤を塗布した両面粘着テープ１０（脱着部材）が貼り付けられる。
【００２２】
ここで、フィルタ８を保護ガード４の背面４ａに装着して、扇風機１を使用する場合には、まず、フィルタ８の両面粘着テープ１０を有する面を保護ガード４の背面に向けてフィルタ８の外縁と保護ガード４の外縁部とを合わせて接触させるとともに、フィルタ８の切込部９が駆動モータ３の前部を覆うようにして、フィルタ８を保護ガード４の背面４ａに位置させる。
【００２３】
次いで、フィルタ８に有する両面粘着テープ１０の図示しない上層シールをはがし、この両面粘着テープ１０の粘着部を保護ガード４の外縁部および駆動モータ３前部の周囲に貼り付けて、フィルタ８が保護ガード４の背面４ａに図５〜６に示すように装着される。そして、操作部６のスイッチを入れ、回転ファン２を回転させると、保護ガード４の後方から空気がフィルタ８を介して吸引されるとき、このフィルタ８が空気中の埃やごみを吸着するため、埃やごみが除去された清潔な空気が回転ファン２の回転により回転ファン２の前方方向に送風されるとともに、保護ガード４および回転ファン２の背面に埃やごみの堆積が抑えられ、頻繁に保護ガード４を取り外して清掃する手間を省くことができる。
【００２４】
さらに、フィルタ８の内層８ｂに上述したような抗菌成分を有する場合には、空気中の埃などに含まれる有害成分の活性を抑え、さらなる清潔な空気が回転ファン２により回転ファン２の前方方向に送風される。
【００２５】
そして、フィルタ８に埃やごみが吸着され、目詰まりが生じ、送風や浄化機能が低下する前もしくは低下してきたときには、保護ガード４の外縁部および駆動モータ３前部の周囲から両面粘着テープ１０をはがすことでフィルタ８を保護ガード４の背面４ａから取り外し、容易に交換可能とすることができる。
【００２６】
以上詳述したように、この例の扇風機１のフィルタ８は、回転ファン２に覆設した保護ガード４の背面４ａに不織布またはポリオレフィン類による多孔質から成るフィルタ８を両面粘着テープ１０（脱着部材）により着脱可能に備えるものである。加えて、フィルタ８に、抗菌成分を添着する。
【００２７】
なお、フィルタ８の内層８ｂには、抗菌成分の添着に限定されず、芳香成分を添着することもできる。この場合、上述した外層８ａを構成する材質に、芳香成分として、例えば、レモン油、オレンジ油、ベルガモット油、レモングラス油、ユーカリ油、ゼラニウム油、ペパーミント油、ローズ油、ジャスミン油など、さらにはこれら天然精油から分離されたゲラニオールなどの天然源植物性精油など種々の香料成分を、ノルマルパラフィンなどの溶剤を用いて添着してもよい。そして、このように構成されたフィルタ８を用いることで、回転ファン２の回転により保護ガード４の背面４ａから吸引された空気に芳香成分を混入させ、香り豊かな空気が回転ファン２の前方方向に送風され、室内を香りよくするとともに、空気中に悪臭成分が含まれる場合にはこの悪臭成分を芳香成分により消臭することができる。
【００２８】
また、フィルタ８の内層８ｂには、上述した抗菌成分や芳香成分に代えてもしくは加えて、例えば、活性炭や竹炭などを封入させることで、悪臭成分やシックハウス起因物質であるアセトアルデヒドなどを吸着、酸化して無害化させたり、さらには海洋深層水から成る水分を保持させ、室内にミネラル成分を多く含むこの海洋深層水の水蒸気を拡散させることで肌荒れを防止させるなど、健康面を維持促進させる成分を加えてもよい。
【００２９】
また、扇風機１の保護ガード４のサイズに合わせて容易にフィルタ８のサイズを変更することもできる。この場合、図７に示すように、予め大きめの直径を有して設けられたフィルタ８の外縁部より内周面であって、適宜間隔を開けた複数の同心円８ｃがミシン目状に設けられる。
【００３０】
そして、フィルタ８を保護ガード４の背面４ａに装着させるとき、フィルタ８の直径が保護ガード４の直径より大きい場合には、保護ガード４の直径（保護ガード４の外縁部）に該当するフィルタ８の同心円８ｃをミシン目に沿って、手で切り取ることにより簡単、かつ、きれいにフィルタ８を保護ガード４のサイズに合わせることができる。この場合、フィルタ８の脱着部材は、予め切込部９の各切込線両側部に貼り付けられた両面粘着テープ１０に加え、別途用意した両面粘着テープ１０を、同心円８ｃをミシン目に沿って切り取ったフィルタ８の外縁部に貼り付け、これら両面粘着テープ１０の上層シールをはがして、粘着面を保護ガード４の外縁部および駆動モータ３の周囲に貼り付けることで、フィルタ８が保護ガード４の背面４ａに着脱される。なお、フィルタ８の同心円８ｃは、ミシン目に限定されず、はさみなどでフィルタ８の外縁部を保護ガード４のサイズに合わせた円状に切りやすくするための誘導線を設けてもよい。
【００３１】
なお、フィルタ８の脱着部材は、両面粘着テープ１０に限られず、例えば表面にポリプロピレンあるいはポリエチレンなどからなるループ部を有する図示しない面ファスナーテープの、裏面粘着部を、保護ガード４の外縁部および駆動モータ３前部の周囲に貼り付けて、フィルタ８を保護ガード４の背面に着脱させてもよい。この場合、フィルタ８の外層８ａを構成する材質がフック部となり、このフック部が面ファスナーテープの表面に有するループ部に結合および脱離することでフィルタ８を保護ガード４の背面４ａに容易に着脱することができる。
【００３２】
以上詳述したように、この例の扇風機１のフィルタ８は、回転ファン２に覆設した保護ガード４の背面４ａに不織布またはポリオレフィン類による多孔質から成るフィルタ８を面ファスナーテープ（脱着部材）により着脱可能に備えるものである。加えて、フィルタ８に、芳香成分を添着し、フィルタ８の内周面に、複数の同心円８ｃをミシン目状に備える。
【図面の簡単な説明】
【００３３】
【図１】本発明のフィルタを装着させる扇風機の一例を示す正面図である。
【図２】本発明のフィルタを装着させる扇風機の一例を示す側面図である。
【図３】本発明のフィルタの一例を示す正面図である。
【図４】本発明のフィルタを拡大した側面断面模式図である。
【図５】本発明のフィルタを装着させた扇風機の平面図である。
【図６】本発明のフィルタを装着させた扇風機を後方から見た斜視図である。
【図７】内周面に複数の同心円をミシン目状に設けたフィルタの正面図である。
【符号の説明】
【００３４】
１    扇風機
２    回転ファン
３    駆動モータ
４    保護ガード
４ａ    背面
５    スタンド
６    操作部
７    底盤
８    フィルタ
８ａ    外層
８ｂ    内層
８ｃ    同心円
９    切込部
１０    両面粘着テープ（脱着部材）
【図１】
2008063948.tif 000003
【図２】
2008063948.tif 000004
【図３】
2008063948.tif 000005
【図４】
2008063948.tif 000006
【図５】
2008063948.tif 000007
【図６】
2008063948.tif 000008
【図７】
2008063948.tif 000009